(57)【要約】【課題】本願発明は、ヘアキャップに被せて、頭部に適度なフィット感を備え、頭髪等の異物の落下を抑えながら長い間の着用にも作業者に頭が痛くなる等の不快感を与えにくいことに加え、良好なフィット感を長期間維持することができるヘアキャップ固定用ベルトの提供を目的とする。【解決手段】本願発明のヘアキャップ固定用ベルトは、ヘアキャップ開口部を締め付ける主ベルト及び頭部を越えて主ベルトに両端が接続した第１補助ベルト、又は、顎部を越えて主ベルトに両端が対向するように接続した第２補助ベルトを備えており、適度なフィット感を備え、頭髪等の異物がキャップ本体の外に落下することが抑えられる。【選択図】図１
2008308770.tif 000002
【特許請求の範囲】
【請求項１】
頭部を挿入するヘアキャップ開口部の外周に配設され、前記開口部を締め付ける主ベルトと、
頭部を越えて両端が前記主ベルトに接続された第１補助ベルトと、を備えるヘアキャップ固定用ベルトであって、
前記主ベルト及び前記第１補助ベルトは地の目の横方向を長手方向とするニット構造の布地からなることを特徴とするヘアキャップ固定用ベルト。
【請求項２】
ヘアキャップを装着した人間の顎部を越えて両端が前記主ベルトに接続され、地の目の横方向を長手方向とするニット構造の布地からなる第２補助ベルトをさらに備えることを特徴とする請求項１に記載のヘアキャップ固定用ベルト。
【請求項３】
前記第１補助ベルトが分断されており、形成される端部付近の面上に、当該端部同士を着脱可能とする面テープが装着されていることを特徴とする請求項１又は２に記載のヘアキャップ固定用ベルト。
【請求項４】
前記第２補助ベルトが分断されており、形成される端部付近の面上に、当該端部同士を着脱可能とする面テープが装着されていることを特徴とする請求項１から３のいずれかに記載のヘアキャップ固定用ベルト。
【発明の詳細な説明】
【技術分野】
【０００１】
本願発明は、ヘアキャップ固定用ベルトに関する。特に、半導体製造作業や食品製造作業等に使用され、頭髪等の異物が製品に混入することを防止するヘアキャップを固定するヘアキャップ固定用ベルトに関する。
【背景技術】
【０００２】
近年、クリーンルームにおける半導体製造作業や、医薬品製造作業、または食品製造作業といった清潔さが最優先される作業にあっては、頭髪あるいは当該頭髪からの発塵等の異物が製品に混入するのを確実に防止するため、頭部を完全に覆うためのヘアキャップの着用を義務づけるのが一般的である。かかるヘアキャップは、長時間の作業であっても違和感なく着用できるとともに、作業中における汗を吸収し、また、頭部がむれることがないように軽量性及び通気性に優れた繊維材料で構成されていた。そして、このヘアキャップは、頭部を挿入する開口部で締め付けることにより頭部とキャップとの隙間をなくすようにして頭髪等の異物の落下を防止するとともに、頭髪を押さえることによりフィット性を高めるようにしていた（例えば、特許文献１参照。）。
【０００３】
図１０は、従来のヘアキャップ９の構成を示した概略図である、図１０に示すヘアキャップ９は、頭部９３（図１１参照）を覆うためのヘアキャップ本体９１における当該頭部９３を挿入する開口部９１１に、弾性ゴムを編み込んだベルト、あるいはゴム自体からなるベルト（以下、総称して「ゴムベルト９２」とする。）を周状に設けた構成を採用している。また、図１１は、図１０に示すヘアキャップ９を頭部９３に装着して着用した状態を示した概略図であり、キャップ本体９１の開口部９１１に頭部９３を装着するとともに、当該開口部９１１に配設されたゴムベルト９２がその弾力により頭部９３を締め付け、これによって、ヘアキャップ９が頭部９３にフィットした状態で装着されることになる。
【特許文献１】特開平５−１５６５０３号公報
【発明の開示】
【発明が解決しようとする課題】
【０００４】
従来のヘアキャップは、このようにゴムベルトの弾力による締め付けにより頭部にフィットした状態で装着されるので、頭髪等の異物がキャップ本体の外に落下することを防止することはできるものの、締め付けが強いために長時間使用していると頭が痛くなってしまうという問題点があった。一方、これを防止するため締め付けの弱いゴムベルトを採用した場合にあっては、フィット感が損なわれ、頭髪等の異物がキャップ本体の外に落下することがある。また、ゴムベルトは洗濯により弾力が低下しやすく、フィット感が損なわれ、頭髪等の異物がキャップ本体の外に落下しやすくなる。
【０００５】
また、ヘアキャップ本体は汚れやすく頻繁な取替えが必要になる。
【０００６】
そこで、本願発明は、ヘアキャップの上から被せて、頭部に適度なフィット感を備え、長い間の着用にも作業者に頭が痛くなる等の不快感を与えにくいことに加え、良好なフィット感を長期間維持することができ、かつヘアキャップの取り替えを容易にするヘアキャップ固定用ベルトの提供を目的とする。
【課題を解決するための手段】
【０００７】
前記の目的を達成するために、本願発明のヘアキャップ固定用ベルトでは、ニット構造の布地でヘアキャップの開口部の外周を締め付ける主ベルトとニット構造の布地で両端が主ベルトに接続された第１補助ベルトとを備えることにより解決する。
【０００８】
具体的には、本願発明のヘアキャップ固定用ベルトは、頭部を挿入するヘアキャップ開口部の外周に配設され、前記開口部を締め付ける主ベルトと、頭部を越えて両端が前記主ベルトに接続された第１補助ベルトと、を備えるヘアキャップ固定用ベルトであって、前記主ベルト及び前記第１補助ベルトは地の目の横方向を長手方向とするニット構造の布地からなることを特徴とする。
【０００９】
上記ヘアキャップ固定用ベルトは、人間の頭部を挿入するヘアキャップ開口部を締め付ける主ベルト及びヘアキャップを装着する人間の頭部を越えて主ベルトに接続した第１補助ベルトを備えており、ヘアキャップの装着時に、主ベルトの締め付けに加え、主ベルトの一部と第１補助ベルトにより形成される環形状の部分の締め付けが加わるため、適度なフィット感を備える。また、主ベルト及び第１補助ベルトは地の目の横方向を長手方向とするニット構造の布地からなるため、作業者に頭が痛くなる等の不快感を与えにくく、良好なフィット感を長期間維持することができる。さらに、汚れやすいヘアキャップを取替えても、上記ヘアキャップ固定用ベルトをそのまま使用することができるため、常に清潔なヘアキャップを装着することができる。
【００１０】
本願発明のヘアキャップ固定用ベルトでは、ヘアキャップを装着した人間の顎部を越えて両端が前記主ベルトに接続され、地の目の横方向を長手方向とするニット構造の布地からなる第２補助ベルトをさらに備えることが好ましい。
【００１１】
第２補助ベルトにより主ベルトが下方に引っ張られた状態となるため、着用中の主ベルトのずれやヘアキャップからの脱離が防止される。また、この第２補助ベルトは地の目の横方向を長手方向とするニット構造の布地からなるため、作業者に頭が痛くなる等の不快感を与えにくい。
【００１２】
本願発明のヘアキャップ固定用ベルトでは、前記第１補助ベルトが分断されており、形成される端部付近の面上に、当該端部同士を着脱可能とする面テープが装着されていることが好ましい。
【００１３】
第１補助ベルトの長さの微調整をすることができ、フィット感を一層向上させることができる。
【００１４】
本願発明のヘアキャップ固定用ベルトでは、前記第２補助ベルトが分断されており、形成される端部付近の面上に、当該端部同士を着脱可能とする面テープが装着されていることが好ましい。
【００１５】
第２補助ベルトの長さの微調整をすることができ、フィット感を一層向上させることができる。
【発明の効果】
【００１６】
本願発明のヘアキャップ固定用ベルトは、適度なフィット感を備え、長い間の着用にも作業者に頭が痛くなる等の不快感を与えにくいことに加え、良好なフィット感を長期間維持することができ、かつヘアキャップの取り替えを容易にすることができる。
【発明を実施するための最良の形態】
【００１７】
以下、本願発明に関する実施形態の一態様を図１、図２及び図３に基づいて説明する。図１はヘアキャップ固定用ベルトの概略図、図２はヘアキャップに本実施形態のヘアキャップ固定用ベルトを被せて固定した状態を示す概略図、図３は頭部に装着したヘアキャップに本実施形態のヘアキャップ固定用ベルトを被せて固定した状態を示す概略図である。図１、図２及び図３中、１はヘアキャップ固定用ベルト、１１はヘアキャップ、１１１はヘアキャップ１１の開口部、１２は主ベルト、１２１は第１補助ベルトの接続部１３１よりも前方の部分、１２２は第１補助ベルトの接続部１３１よりも後方の部分、１３は第１補助ベルト、１３１は第１補助ベルトの接続部、１３２は第１補助ベルトの頂部、２０は頭部、をそれぞれ示す。
【００１８】
本実施形態は、開口部１１１の外周に配設され、開口部１１１を締め付ける主ベルト１２と、頭部を越えて両端が主ベルト１２に接続された第１補助ベルト１３と、を備えるヘアキャップ固定用ベルト１であって、主ベルト１２及び第１補助ベルト１３は地の目の横方向を長手方向とするニット構造の布地からなる。頭部２０を挿入する開口部１１１を備えたヘアキャップ１１の上から被せることによって、ヘアキャップ１１を頭部に固定することができる。
【００１９】
ヘアキャップ１１は、頭部２０を被う袋状の部材であり、開口部１１１を有する。ヘアキャップ１１の形状は、頭部２０に装着される際に当該頭部２０の頭髪を覆うことができるものであれば特に制限はなく、従来公知の各種形状を適宜選定することができる。また、ヘアキャップ１１に対して、ひさしやつば（鍔）、あるいはフードを設けるようにしてもよい。
【００２０】
ヘアキャップ１１の開口部１１１の外周に配設される主ベルト１２は、ヘアキャップ１１を頭部２０に装着する際に、径寸法を調整可能なように伸縮させることができるよう、地の目の横方向を長手方向（開口部１１１の外周方向）とするニット構造の布地からなる。当該長手方向に対する伸縮性が良好であるため、主ベルト１２は、人間の頭部を締め付ける伸縮性を備えることになる。
【００２１】
第１補助ベルト１３は、帯状の部材であり、主ベルト１２に両端を接続させる。第１補助ベルト１３がヘアキャップ１１を越えて配置される位置であれば、主ベルト１２のいずれの位置に接続させても良い。好ましくは、例えば、図１又は図２に示すように、主軸Ｘよりも前方の位置に接続する。また、第１補助ベルト１３は主ベルト１２に複数本接続させても良い。
【００２２】
第１補助ベルト１３は、地の目の横方向を長手方向（主ベルト１２に接続した一端から他端に向う方向）とするニット構造の布地からなる。当該長手方向に対する伸縮性が良好であるため、第１補助ベルト１３は、主ベルト１２に接続した端部間で伸縮性を備えることになる。
【００２３】
図４はニット構造を示す模式図であり、矢印方向が地の目の横方向である。ニット構造は洗濯における耐久性も良好であるため、数回の洗濯でベルトが劣化することはない。ここで、横編みの組織としては、特に制限はなく、例えば、図４に示す平編みのほか、リブ編み、ゴム編み、パール編み等の従来公知の組織を採用することができる。
【００２４】
ニット構造からなる布地を構成する繊維としては、通気性がよく、汗等の水分の吸収性が良好で、軽量な繊維により形成されることが好ましく、例えば、綿、レーヨン等の親水性繊維を用いてもよく、また、エバール（登録商標：エチレン・ビニルアルコール共重合体）を原料として、親水基を備えた合成繊維を使用するようにしてもよい。
【００２５】
図２及び図３に示したヘアキャップ１１も、通気性がよく、汗等の水分の吸収性が良好で、軽量な繊維により形成されることが好ましく、前記したニット構造からなる布地を構成する繊維と同様な繊維を適用することができ、かかる繊維からなる織物や編物を使用することができる。また、通気孔を形成した紙、不繊布を使用してもよい。
【００２６】
そして、本実施形態のヘアキャップ固定用ベルト１を着用するにあたっては、図３に示すように、まず、ヘアキャップ１１の開口部１１１から頭部２０を挿入し、次に、ヘアキャップ１１の上から第１補助ベルト１３を伸長させた状態で頭部２０の後部に掛けて着用する。このとき、主ベルト１２により形成される環形状の部分の締め付けに加え、主ベルト１２の第１補助ベルト１３の接続部１３１よりも前方の部分１２１と第１補助ベルト１３により形成される環形状の部分の締め付けが加わるため、適度なフィット感を備え、頭髪等の異物が主ベルト１２の前方の部分１２１から落下することが抑えられる。第１補助ベルト１３を頭部２０の前部に掛けて着用する形態としても良い。この場合は、主ベルト１２の第１補助ベルト１３の接続部１３１よりも後方の部分１２２と第１補助ベルト１３により形成される環形状の部分の締め付けが加わるため、適度なフィット感を備え、頭髪等の異物が主ベルト１２の後方の部分１２２から落下することが抑えられる。また、第１補助ベルト１３の頂部１３２を配置させる位置、即ち、接続部１３１と頂部１３２との距離により、主ベルト１２の一部と第１補助ベルト１３により形成される環形状の部分の締め付ける力を調節することができる。
【００２７】
主ベルト１２により形成される環形状の部分の締め付けに加え、主ベルト１２の一部と第１補助ベルト１３により形成される環形状の部分の締め付けが加わるが、第１補助ベルト１３はニット構造の布地からなるため、長い間の着用にも作業者に頭が痛くなる等の不快感を与えにくい。第１補助ベルト１３の幅ｗ１は、特に限定されないが、１〜７ｃｍが好ましい。適度な伸縮性が得られ、不快感を与えにくい。また、ニット構造は洗濯耐久性があり、良好なフィット感を長期間維持することができる。
【００２８】
また、主ベルト１２の一部と第１補助ベルト１３により形成される環形状の部分の締め付けが加わるため、主ベルト１２により形成される環形状の部分の締め付けを弱めても、良好なフィット感が維持される。このため、主ベルト１２により形成される環形状の部分の締め付けを弱めることが可能となるため、例えば、ゴムベルトからなる主ベルト１３を使用した場合における、締め付けが強いために長時間使用していると頭が痛くなってしまうという問題点が改善される。
【００２９】
主ベルト１２又は第１補助ベルト１３は一部の幅が広くなっていてもよい。広くすることによって、主ベルト１２又は第１補助ベルト１３の頭部へのフィット感が向上する。
【００３０】
本実施形態のヘアキャップ固定用ベルト１は、ヘアキャップ１１と分離しているため、ヘアキャップ１１を頻繁に取り替える場合でも、継続して使用することができる。
【００３１】
また、本実施形態のヘアキャップ固定用ベルト１では、第１補助ベルト１３の長さを調節できる機構を設けることが好ましく、図５に例示する。図５は第１補助ベルトに面テープを形成したヘアキャップを頭部に装着した状態を示す概略図であり、図６は第１補助ベルトに形成された面テープを示す部分拡大図である。以下の説明では、既に前記した実施形態で説明した部分と同一または略同一の部分については、同一の符号を付して説明を省略する。図５及び図６中、１ａはヘアキャップ固定用ベルト、１３５は面テープ、をそれぞれ示す。
【００３２】
図５に示すように、本実施形態のヘアキャップ固定用ベルト１ａでは、第１補助ベルト１３が分断されており、形成される端部付近の面上に、端部同士を着脱可能とする面テープ１３５が装着されていることが好ましい。第１補助ベルト１３の長さの微調整が可能となり、フィット感をより一層向上させることができる。このような面テープ１３５としては、例えば、マジックテープ（登録商標）等を適用することができる。また、フックで係止して固定する形態であっても同様の効果が得られる。
【００３３】
また、本願発明のヘアキャップ固定用ベルトでは、前記した第１補助ベルトに加え、第２補助ベルトを同時に備える形態とすることが好ましく、その実施形態を図７、図８及び図９に例示する。図７は第１補助ベルトと第２補助ベルトとを備えるヘアキャップ固定用ベルトの概略図、図８はヘアキャップに本実施形態のヘアキャップ固定用ベルトを被せて固定した状態を示す概略図、図９は頭部に装着したヘアキャップに本実施形態のヘアキャップ固定用ベルトを被せて固定した状態を示す概略図である。図７、図８及び図９中、５はヘアキャップ固定用ベルト、１５は一体化補助ベルト、１５１は一体化補助ベルトの接続部、をそれぞれ示す。
【００３４】
本実施形態のヘアキャップ固定用ベルト５は、第１補助ベルト１３と第２補助ベルト１４を同時に備える。第１補助ベルト１３と第２補助ベルト１４は、別体として備えても良いし、図７、図８及び図９に示すように一体化した状態で備えても良い。好ましくは、図７、図８及び図９に示すように第１補助ベルト１３と第２補助ベルト１４が一体化した一本のベルトである一体化補助ベルト１５として備える。接続部１５１が２箇所ですみ、製造が容易である。また、ヘアキャップ固定用ベルト５の着用時における頭部２０に対する異物感も減少する。
【００３５】
第１補助ベルト１３と主ベルト１２の一部により形成される環形状の部分の締め付けにより、頭髪等の異物がヘアキャップ１１の外に落下することを抑える効果が得られやすいが、主ベルト１２に上方への力が加わり、主ベルト１２のずれを生じやすくすることがある。ここで、第２補助ベルト１４を同時に備えることで、主ベルト１２は下方に引っ張られた状態となるため、主ベルト１２のずれが防止される。また、主ベルト１２の一部を後方に引っ張る力が働くためフィット感がさらに向上する。
【００３６】
第２補助ベルト１４は、前述した第１補助ベルト１３と同様の帯状の部材であり、主ベルト１２に両端を接続させる。第２補助ベルト１４が顎部２１を越えて配置される位置であれば、主ベルト１２のいずれの位置に接続させても良い。
【００３７】
主ベルト１２、第１補助ベルト１３又は第２補助ベルト１４は一部の幅が広くなっていてもよい。広くすることによって、主ベルト１２、第１補助ベルト１３又は第２補助ベルト１４の頭部へのフィット感が向上する。
【００３８】
本実施形態のヘアキャップ固定用ベルト５は、ヘアキャップ１１と分離しているため、ヘアキャップ１１を頻繁に取り替える場合でも、継続して使用することができる。
【００３９】
第２補助ベルト１４は長さを調整できるよう分断されていてもよい。分断させる位置は、第２補助ベルト１４のいずれの位置であっても良い。例えば、図７、図８及び図９に示すように第２補助ベルト１４の中央部付近であっても良いし、主ベルト１２への一体化補助ベルトの接続部１５１であっても良い。面テープ１４２は、前述した第１補助ベルト１３の場合と同様のものを適用することができる。
【００４０】
また、第２補助ベルト１４は、地の目の横方向を長手方向（主ベルト１２に接続した一端から他端に向う方向）とするニット構造の布地からなる。ニット構造の布地としては、前述した第１補助ベルト１３の場合と同様のものを適用することができる。当該長手方向に対する伸縮性が良好であるため、第２補助ベルト１４は、主ベルト１２に接続した端部間で伸縮性を備えることになる。
【００４１】
そして、本実施形態のヘアキャップ固定用ベルト５を着用するにあたっては、図９に示すように、まず、ヘアキャップ１１の開口部１１１から頭部２０を挿入し、次に、ヘアキャップ１１の上から第１補助ベルト１３を伸長させた状態で頭部２０の後部に掛けて着用する。さらに、第２補助ベルト１４を伸長させた状態で顎部２１に掛けて着用する。このとき、主ベルト１２は下方に引っ張られた状態となるため、着用中の主ベルト１２のずれやヘアキャップ１１からの脱離が防止される。また、第２補助ベルト１４から主ベルト１２の一部を後方に引っ張る力が加わるため、適度なフィット感を備え、頭髪等の異物がヘアキャップ１１の外に落下することが抑えられる。また、この第２補助ベルト１４は地の目の横方向を長手方向とするニット構造の布地からなるため、作業者に頭が痛くなる等の不快感を与えにくい。第２補助ベルト１４の幅ｗ２は、特に限定されないが、１〜７ｃｍが好ましい。適度な伸縮性が得られ、首元が苦しくなる等の不快感を与えにくい。また、ニット構造は洗濯耐久性があり、良好なフィット感を長時間維持することができる。
【産業上の利用可能性】
【００４２】
本願発明は、例えば、半導体、食品、医薬品等の製造作業時におけるヘアキャップの固定用ベルトとして有利に使用することができる。
【図面の簡単な説明】
【００４３】
【図１】本実施形態のヘアキャップ固定用ベルトを示す概略図である。
【図２】ヘアキャップに本実施形態のヘアキャップ固定用ベルトを被せて固定した状態を示す概略図である。
【図３】頭部に装着したヘアキャップに本実施形態のヘアキャップ固定用ベルトを被せて固定した状態を示す概略図である。
【図４】ニット構造を示す模式図である。
【図５】第１補助ベルトに面テープを形成したヘアキャップ固定ベルト用をヘアキャップに被せて着用した状態を示す概略図である。
【図６】第１補助ベルトに形成された面テープを示す部分拡大図である。
【図７】本実施形態のヘアキャップ固定用ベルトを示す概略図である。
【図８】ヘアキャップに本実施形態のヘアキャップ固定用ベルトを被せて固定した状態を示す概略図である。
【図９】頭部に装着したヘアキャップに本実施形態のヘアキャップ固定用ベルトを固定した状態を示す概略図である。
【図１０】従来のヘアキャップを示す概略図である。
【図１１】従来のヘアキャップを頭部に装着した状態を示す概略図である。
【符号の説明】
【００４４】
１、１ａ、５、ヘアキャップ固定用ベルト
９、１１、ヘアキャップ
９１、ヘアキャップ本体
１１１、９１１、ヘアキャップ開口部
１２、主ベルト
１２１、主ベルトの接続部１３１よりも前方の部分
１２２、主ベルトの接続部１３１よりも後方の部分
１３、第１補助ベルト
１３１、第１補助ベルトの接続部
１３２、第１補助ベルトの頂部
１３５、面テープ
１４、第２補助ベルト
１４１、第２補助ベルトの接続部
１４２、面テープ
１５、一体化補助ベルト
１５１、一体化補助ベルトの接続部
２０、９３、頭部
２１、顎部
９２、ゴムベルト
ｗ１、第１補助ベルトの幅
ｗ２、第２補助ベルトの幅
Ｘ、主軸
【図１】
2008308770.tif 000003
【図２】
2008308770.tif 000004
【図３】
2008308770.tif 000005
【図４】
2008308770.tif 000006
【図５】
2008308770.tif 000007
【図６】
2008308770.tif 000008
【図７】
2008308770.tif 000009
【図８】
2008308770.tif 000010
【図９】
2008308770.tif 000011
【図１０】
2008308770.tif 000012
【図１１】
2008308770.tif 000013